【事件の表示】
　特許第６１３４６６０号発明「射出成形機の操作説明の表示方法、及び射出成形機」の特許異議申立事件について、次のとおり決定する。
【結　論】
　特許第６１３４６６０号の特許請求の範囲を訂正請求書に添付された訂正特許請求の範囲のとおり、訂正後の請求項［１〜４］、５について訂正することを認める。
　特許第６１３４６６０号の請求項１ないし５に係る特許を維持する。
【理　由】
第１　主な手続の経緯等 
　
　特許第６１３４６６０号（設定登録時の請求項の数は５。以下、「本件特許」という。）は、平成２６年１月２９日を出願日とする特願２０１４−１３８４８号に係るものであって、平成２９年４月２８日に設定登録され、同年５月２４日に特許掲載公報が発行された。
　特許異議申立人　藤江桂子（以下、単に「異議申立人」という。）は、平成２９年９月１３日、本件特許の請求項１ないし５に係る発明についての特許に対して特許異議の申立てをした。
　当審において、平成３０年２月１日付けで取消理由を通知したところ、特許権者は、同年４月３日付けで、訂正請求書及び意見書を提出したので、同年４月９日付けで異議申立人に対して特許法第１２０条の５第５項に基づく通知をしたところ、異議申立人は、同年５月８日付けで意見書を提出した。
　当審において、平成３０年６月１２日付けで取消理由（決定の予告）を通知したところ、特許権者は、同年８月７日付けで、訂正請求書（以下、当該訂正請求書による訂正請求を「本件訂正請求」という。）及び意見書を提出したので、同年９月１１日付けで異議申立人に対して特許法第１２０条の５第５項に基づく通知をしたところ、異議申立人は、同年１０月４日付けで意見書を提出した。
　なお、平成３０年４月３日付け訂正請求書に係る訂正の請求は、特許法第１２０条の５第７項の規定により、取り下げられたものとみなす。
 　 
第２　訂正の適否についての判断
　
１　訂正の内容
　
　本件訂正請求による訂正の内容は、以下の訂正事項１ないし９のとおりである。なお、下線については訂正箇所に請求人が付したものである。
　
　訂正事項１
　訂正前の特許請求の範囲の請求項１に
「タッチパネルディスプレイの画面に射出成形機の複数の運転操作にそれぞれ関係する複数の操作説明のうちの所望の操作説明を選択的に表示させる射出成形機」
とあるのを、
「タッチパネルディスプレイの画面に射出成形機の複数の運転操作にそれぞれ関係する
具体的で詳しい操作方法が記載されている書類である
頁からなる
書
に係る頁
に訂正する。
　請求項１の記載を引用する請求項２、３、４も同様に訂正する。
　
　訂正事項２　
　訂正前の特許請求の範囲の請求項１に
「操作者が前記所望の操作説明を前記画面に表示させるために操作するボタン画像を前記画面上の所定位置に予め表示させておくとともに、」
とあるのを、
「操作者が前記所望の操作説明
に係る頁
に訂正する。
　請求項１の記載を引用する請求項２、３、４も同様に訂正する。
　
　訂正事項３　
　訂正前の特許請求の範囲の請求項１に
「前記画面上に表示される前記複数の運転操作に関係する入力要素を示す画像にそれぞれ対応する前記画面中の予め定められた規定の表示領域を示すデータと関連付けて前記複数の操作説明を記憶媒体に記録しておき、」
とあるのを、
「前記画面上に表示される前記複数の運転操作に関係する入力要素を示す画像にそれぞれ対応する前記画面中の予め定められた規定の表示領域を示すデータと関連付けて前記複数
頁からなる
書
に訂正する。
　請求項１の記載を引用する請求項２、３、４も同様に訂正する。
　
　訂正事項４　
　訂正前の特許請求の範囲の請求項１に
「前記所望の運転操作に関係する前記所望の操作説明を前記記憶媒体から読み出して前記画面上に表示させる」
とあるのを、
「
前記操作説明書の全ての頁の中から
に係る頁
前記所望の操作説明に係る頁の前後のページを表示させることができる状態で前記所望の操作説明に係る頁を
に訂正する。
　請求項１の記載を引用する請求項２、３、４も同様に訂正する。
　
　訂正事項５　
　訂正前の特許請求の範囲の請求項３に
「前記画面に前記所望の操作説明をブラウザなどの表示アプリケーションによって表示させる」
とあるのを、
「前記画面に前記所望の操作説明
に係る頁
に訂正する。
　請求項３の記載を引用する請求項４も同様に訂正する。
　
　訂正事項６　
　訂正前の特許請求の範囲の請求項５に
「タッチパネルディスプレイの画面に射出成形機の複数の運転操作にそれぞれ関係する複数の操作説明のうちの所望の操作説明を選択的に表示させる射出成形機」
とあるのを、
「タッチパネルディスプレイの画面に射出成形機の複数の運転操作にそれぞれ関係する
具体的で詳しい操作方法が記載されている書類である
頁からなる
書
に係る頁
に訂正する。
　
　訂正事項７　
　訂正前の特許請求の範囲の請求項５に
「操作者が前記所望の操作説明を前記画面に表示させるために操作するボタン画像を前記画面上の所定位置に予め表示させておくとともに、」
とあるのを、
「操作者が前記所望の操作説明
に係る頁
に訂正する。
　訂正事項８　
　訂正前の特許請求の範囲の請求項５に
「前記画面上に表示される前記複数の運転操作に関係する入力要素を示す画像にそれぞれ対応する前記画面中の予め定められた規定の表示領域を示すデータと関連付けて前記複数の操作説明を記憶媒体に記録しておき、」
とあるのを、
「前記画面上に表示される前記複数の運転操作に関係する入力要素を示す画像にそれぞれ対応する前記画面中の予め定められた規定の表示領域を示すデータと関連付けて前記複数
頁からなる
書
に訂正する。
　
　訂正事項９
　訂正前の特許請求の範囲の請求項５に
「前記所望の運転操作に関係する前記所望の操作説明を前記記憶媒体から読み出して前記画面上に表示させる」
とあるのを、
「
前記操作説明書の全ての頁の中から
に係る頁
前記所望の操作説明に係る頁の前後のページを表示させることができる状態で前記所望の操作説明に係る頁を
に訂正する。
　
２　訂正の目的の適否、一群の請求項、新規事項の有無、及び特許請求の範囲の拡張・変更の存否
　
（１）　訂正事項１について
　
　ア　この訂正は、訂正前の請求項１では、「射出成形機」について「タッチパネルディスプレイの画面に射出成形機の複数の運転操作にそれぞれ関係する複数の操作説明のうちの所望の操作説明を選択的に表示させる」ことを特定していたものを、訂正後の請求項１では、「タッチパネルディスプレイの画面に射出成形機の複数の運転操作にそれぞれ関係する具体的で詳しい操作方法が記載されている書類である複数頁からなる操作説明書のうちの所望の操作説明に係る頁を選択的に表示させる」との記載により、射出成形機における表示対象をより具体的に特定し、さらに限定するものである。
　よって、当該訂正事項１は、特許法第１２０条の５第２項ただし書第１号に規定する特許請求の範囲の減縮を目的とするものである。
　
　イ　訂正事項１は、願書に添付した明細書の段落【０００３】【００１０】【００１１】【００３４】【００３８】の記載からみて、新規事項を追加するものではない。
　
　ウ　上記アの理由から明らかなように、訂正事項１は、表示対象をより具体的に限定するものであり、カテゴリーや対象、目的を変更するものではないから、実質上特許請求の範囲の変更又は拡張するものでもない。
　
　エ　よって、訂正事項１は、特許法第１２０条の５第２項ただし書第１号に掲げる事項を目的とし、同法第１２０条の５第９項で準用する同法第１２６条第５項及び第６項に適合するものである。
　
（２）　訂正事項２について
　
　ア　この訂正は、訂正前の請求項１では、「ボタン画像」を修飾する事項を「操作者が前記所望の操作説明を前記画面に表示させるために操作する」と特定していたものを、訂正後の請求項１では、「操作者が前記所望の操作説明に係る頁を前記画面に表示させるために操作する」とすることにより、ボタン画像を、より具体的に特定し、更に限定するものである。
　よって、当該訂正事項２は、特許法第１２０条の５第２項ただし書第１号に規定する特許請求の範囲の減縮を目的とするものである。
　
　イ　訂正事項２は、願書に添付した明細書の段落【００３８】の記載からみて、新規事項を追加するものではない。
　
　ウ　上記アの理由から明らかなように、訂正事項２は、ボタン画像をより具体的に限定するものであり、カテゴリーや対象、目的を変更するものではないから、実質上特許請求の範囲の変更又は拡張するものでもない。
　
　エ　よって、訂正事項２は、特許法第１２０条の５第２項ただし書第１号に掲げる事項を目的とし、同法第１２０条の５第９項で準用する同法第１２６条第５項及び第６項に適合するものである。
　
（３）　訂正事項３について
　
　ア　この訂正は、訂正前の請求項１では、「記憶媒体に記録」しておく対象を「前記画面上に表示される前記複数の運転操作に関係する入力要素を示す画像にそれぞれ対応する前記画面中の予め定められた規定の表示領域を示すデータと関連付けて前記複数の操作説明」と特定していたものを、訂正後の請求項１では、「前記画面上に表示される前記複数の運転操作に関係する入力要素を示す画像にそれぞれ対応する前記画面中の予め定められた規定の表示領域を示すデータと関連付けて前記複数頁からなる操作説明書」とすることにより、「記憶媒体に記録」しておく対象を、より具体的に特定し、更に限定するものである。
　よって、当該訂正事項３は、特許法第１２０条の５第２項ただし書第１号に規定する特許請求の範囲の減縮を目的とするものである。
　
　イ　訂正事項３は、願書に添付した明細書の段落【００３４】の記載からみて、新規事項を追加するものではない。
　
　ウ　上記アの理由から明らかなように、訂正事項３は、「記憶媒体に記録」しておく対象をより具体的に限定するものであり、カテゴリーや対象、目的を変更するものではないから、実質上特許請求の範囲の変更又は拡張するものでもない。
　
　エ　よって、訂正事項３は、特許法第１２０条の５第２項ただし書第１号に掲げる事項を目的とし、同法第１２０条の５第９項で準用する同法第１２６条第５項及び第６項に適合するものである。
　
（４）　訂正事項４について
　
　ア　この訂正は、訂正前の請求項１では、「記憶媒体から読み出して前記画面上に表示させる」対象を「前記所望の運転操作に関係する前記所望の操作説明」と特定していたものを、訂正後の請求項１では、「前記操作説明書の全ての頁の中から所望の運転操作に関係する前記所望の操作説明に係る頁を前記記憶媒体から読み出して前記所望の操作説明に係る頁の前後のページを表示させることができる状態で前記所望の操作説明に係る頁」とすることにより、「記憶媒体から読み出して前記画面上に表示させる」対象を、より具体的に特定し、更に限定するものである。
　よって、当該訂正事項４は、特許法第１２０条の５第２項ただし書第１号に規定する特許請求の範囲の減縮を目的とするものである。
　
　イ　訂正事項４は、願書に添付した明細書の段落【００３４】、【００３８】、【００４０】及び図２の記載からみて、新規事項を追加するものではない。
　
　ウ　上記アの理由から明らかなように、訂正事項４は、「記憶媒体から読み出して前記画面上に表示させる」対象をより具体的に限定するものであり、カテゴリーや対象、目的を変更するものではないから、実質上特許請求の範囲の変更又は拡張するものでもない。
　
　エ　よって、訂正事項４は、特許法第１２０条の５第２項ただし書第１号に掲げる事項を目的とし、同法第１２０条の５第９項で準用する同法第１２６条第５項及び第６項に適合するものである。
　
（５）　訂正事項５について
　
　ア　この訂正は、訂正前の請求項３では、「ブラウザなどの表示アプリケーションによって表示させる」対象を「前記画面に前記所望の操作説明」と特定していたものを、訂正後の請求項３では、「前記画面に前記所望の操作説明に係る頁」とすることにより、「ブラウザなどの表示アプリケーションによって表示させる」対象を、より具体的に特定し、更に限定するものである。
　よって、当該訂正事項４は、特許法第１２０条の５第２項ただし書第１号に規定する特許請求の範囲の減縮を目的とするものである。
　
　イ　訂正事項５は、願書に添付した明細書の段落【００３４】の記載からみて、新規事項を追加するものではない。
　
　ウ　上記アの理由から明らかなように、訂正事項５は、「ブラウザなどの表示アプリケーションによって表示させる」対象をより具体的に限定するものであり、カテゴリーや対象、目的を変更するものではないから、実質上特許請求の範囲の変更又は拡張するものでもない。
　
　エ　よって、訂正事項５は、特許法第１２０条の５第２項ただし書第１号に掲げる事項を目的とし、同法第１２０条の５第９項で準用する同法第１２６条第５項及び第６項に適合するものである。
　
（６）　訂正事項６について
　　
　ア　この訂正は、訂正前の請求項５では、「射出成形機」について「タッチパネルディスプレイの画面に射出成形機の複数の運転操作にそれぞれ関係する複数の操作説明のうちの所望の操作説明を選択的に表示させる」ことを特定しているが、訂正後の請求項５では、「タッチパネルディスプレイの画面に射出成形機の複数の運転操作にそれぞれ関係する具体的で詳しい操作方法が記載されている書類である複数頁からなる操作説明書のうちの所望の操作説明に係る頁を選択的に表示させる」との記載により、射出成形機における表示対象をより具体的に特定し、さらに限定するものである。
　よって、当該訂正事項６は、特許法第１２０条の５第２項ただし書第１号に規定する特許請求の範囲の減縮を目的とするものである。
　
　イ　訂正事項６は、願書に添付した明細書の段落【０００３】【００１０】【００１１】【００３４】【００３８】の記載からみて、新規事項を追加するものではない。
　
　ウ　上記アの理由から明らかなように、訂正事項６は、表示対象をより具体的に限定するものであり、カテゴリーや対象、目的を変更するものではないから、実質上特許請求の範囲の変更又は拡張するものでもない。
　
　エ　よって、訂正事項６は、特許法第１２０条の５第２項ただし書第１号に掲げる事項を目的とし、同法第１２０条の５第９項で準用する同法第１２６条第５項及び第６項に適合するものである。
　
（７）　訂正事項７について
　
　ア　この訂正は、訂正前の請求項５では、「ボタン画像」を「操作者が前記所望の操作説明を前記画面に表示させるために操作する」と特定していたものを、訂正後の請求項５では、「操作者が前記所望の操作説明に係る頁を前記画面に表示させるために操作する」とすることにより、ボタン画像を、より具体的に特定し、更に限定するものである。
　よって、当該訂正事項７は、特許法第１２０条の５第２項ただし書第１号に規定する特許請求の範囲の減縮を目的とするものである。
　
　イ　訂正事項７は、願書に添付した明細書の段落【００３８】の記載からみて、新規事項を追加するものではない。
　
　ウ　上記アの理由から明らかなように、訂正事項７は、ボタン画像をより具体的に限定するものであり、カテゴリーや対象、目的を変更するものではないから、実質上特許請求の範囲の変更又は拡張するものでもない。
　
　エ　よって、訂正事項７は、特許法第１２０条の５第２項ただし書第１号に掲げる事項を目的とし、同法第１２０条の５第９項で準用する同法第１２６条第５項及び第６項に適合するものである。
　
（８）　訂正事項８について
　　
　ア　この訂正は、訂正前の請求項５では、「記憶媒体に記録」しておく対象を「前記画面上に表示される前記複数の運転操作に関係する入力要素を示す画像にそれぞれ対応する前記画面中の予め定められた規定の表示領域を示すデータと関連付けて前記複数の操作説明」と特定していたものを、訂正後の請求項５では、「前記画面上に表示される前記複数の運転操作に関係する入力要素を示す画像にそれぞれ対応する前記画面中の予め定められた規定の表示領域を示すデータと関連付けて前記複数頁からなる操作説明書」とすることにより、「記憶媒体に記録」しておく対象を、より具体的に特定し、更に限定するものである。
　よって、当該訂正事項８は、特許法第１２０条の５第２項ただし書第１号に規定する特許請求の範囲の減縮を目的とするものである。
　
　イ　訂正事項８は、願書に添付した明細書の段落【００３４】の記載からみて、新規事項を追加するものではない。
　
　ウ　上記アの理由から明らかなように、訂正事項８は、「記憶媒体に記録」しておく対象を具体的に限定するものであり、カテゴリーや対象、目的を変更するものではないから、実質上特許請求の範囲の変更又は拡張するものでもない。
　
　エ　よって、訂正事項８は、特許法第１２０条の５第２項ただし書第１号に掲げる事項を目的とし、同法第１２０条の５第９項で準用する同法第１２６条第５項及び第６項に適合するものである。
　
（９）　訂正事項９について
　
　ア　この訂正は、訂正前の請求項５では、「記憶媒体から読み出して前記画面上に表示させる」対象を「前記所望の運転操作に関係する前記所望の操作説明」と特定していたものを、訂正後の請求項５では、「前記操作説明書の全ての頁の中から所望の運転操作に関係する前記所望の操作説明に係る頁を前記記憶媒体から読み出して前記所望の操作説明に係る頁の前後のページを表示させることができる状態で前記所望の操作説明に係る頁」とすることにより、「記憶媒体から読み出して前記画面上に表示させる」対象を、より具体的に特定し、更に限定するものである。
　よって、当該訂正事項９は、特許法第１２０条の５第２項ただし書第１号に規定する特許請求の範囲の減縮を目的とするものである。
　
　イ　訂正事項９は、願書に添付した明細書の段落【００３４】、【００３８】、【００４０】及び図２の記載からみて、新規事項を追加するものではない。
　
　ウ　上記アの理由から明らかなように、訂正事項９は、「記憶媒体から読み出して前記画面上に表示させる」対象をより具体的に限定するものであり、カテゴリーや対象、目的を変更するものではないから、実質上特許請求の範囲の変更又は拡張するものでもない。　
　
　エ　よって、訂正事項９は、特許法第１２０条の５第２項ただし書第１号に掲げる事項を目的とし、同法第１２０条の５第９項で準用する同法第１２６条第５項及び第６項に適合するものである。
　
（１０）　一群の請求項について
　
　訂正前の請求項２〜４は、訂正前の請求項１を直接又は間接的に引用しているものであるから、訂正前の請求項１〜４は一群の請求項であり、訂正前の請求項５は独立請求項である。
　そうすると、訂正事項１ないし９は、訂正前の請求項１〜４及び請求項５という一群の請求項ごとに請求されたものであるから、特許法第１２０条の５第４項に適合するものである。
　
３　むすび
　
　以上のとおりであるから、本件訂正請求による訂正は、特許法第１２０条の５第２項ただし書第１号に掲げる事項を目的とするものであり、かつ、同条第４項、及び、同条第９項において準用する同法第１２６条第５項及び第６項の規定に適合するので、訂正請求書に添付された特許請求の範囲のとおり、訂正後の請求項［１〜４］、５について、訂正することを認める。
　
第３　本件発明
　
　上記第２のとおり、本件訂正請求による訂正は認められるので、本件特許の請求項１ないし５に係る発明（以下、それぞれ「本件発明１」ないし「本件発明５」という。）は、平成３０年８月７日付け訂正請求書に添付された訂正特許請求の範囲の請求項１ないし５に記載された事項により特定される以下に記載のとおりのものである。 
　
「【請求項１】
　タッチパネルディスプレイの画面に射出成形機の複数の運転操作にそれぞれ関係する具体的で詳しい操作方法が記載されている書類である複数頁からなる操作説明書のうちの所望の操作説明に係る頁を選択的に表示させる射出成形機の操作説明の表示方法であって、操作者が前記所望の操作説明に係る頁を前記画面に表示させるために操作するボタン画像を前記画面上の所定位置に予め表示させておくとともに、前記画面上に表示される前記複数の運転操作に関係する入力要素を示す画像にそれぞれ対応する前記画面中の予め定められた規定の表示領域を示すデータと関連付けて前記複数頁からなる操作説明書を記憶媒体に記録しておき、前記操作者が所望の前記運転操作に関係する前記入力要素を示す画像を選択操作した状態で次に前記ボタン画像を操作したときに、前記操作説明書の全ての頁の中から前記所望の運転操作に関係する前記所望の操作説明に係る頁を前記記憶媒体から読み出して前記所望の操作説明に係る頁の前後のページを表示させることができる状態で前記所望の操作説明に係る頁を前記画面上に表示させることを特徴とする射出成形機の操作説明の表示方法。
【請求項２】
　前記画面には、少なくとも射出条件設定画面と、型開閉条件設定画面と、温度条件設定画面があり、前記操作者が設定条件を入力する前記入力要素を示す画像を選択操作したときに前記規定の表示領域の一部ないしは全部が強調表示されることを特徴とする請求項１に記載の射出成形機の操作説明の表示方法。
【請求項３】
　前記画面に前記所望の操作説明に係る頁をブラウザなどの表示アプリケーションによって表示させることを特徴とする請求項１または２に記載の射出成形機の操作説明の表示方法。
【請求項４】
　前記所定位置は、いずれも、前記画面の四隅付近のうちいずれか一箇所であることを特徴とする請求項１から３のいずれか一項記載の射出成形機の操作説明の表示方法。
【請求項５】
　射出成形機の制御装置に付設のタッチパネルディスプレイの画面に射出成形機の複数の運転操作にそれぞれ関係する具体的で詳しい操作方法が記載されている書類である複数頁からなる操作説明書のうちの所望の操作説明に係る頁を選択的に表示させる射出成形機であって、前記制御装置が、操作者が前記所望の操作説明を前記画面に表示させるために操作するボタン画像を前記画面上の所定位置に予め表示させておくとともに、前記画面上に表示される前記複数の運転操作に関係する入力要素を示す画像にそれぞれ対応する前記画面中の予め定められた規定の表示領域を示すデータと関連付けて前記複数頁からなる操作説明書を記憶媒体に記録しておき、前記操作者が所望の前記運転操作に関係する前記入力要素を示す画像を選択操作した状態で次に前記ボタン画像を操作したときに、前記操作説明書の全ての頁の中から前記所望の運転操作に関係する前記所望の操作説明に係る頁を前記記憶媒体から読み出して前記所望の操作説明に係る頁の前後のページを表示させることができる状態で前記所望の操作説明に係る頁を前記画面上に表示させることを特徴とする射出成形機。」 
　
第４　特許異議申立ての内容
　
１　異議申立人は、異議申立理由として下記２の証拠方法を提示するとともに、概略、以下の取消理由を主張する。なお、異議申立人は、意見書に添付して下記３及び４の参考資料を提出した。
　
＜取消理由１＞
　本件特許の請求項１ないし５に係る発明は、甲１に記載された発明であるから、特許法第２９条第１項第３号に該当し、特許を受けることができないから、その発明に係る特許は取り消すべきものである。
＜取消理由２＞
　本件特許の請求項１ないし５に係る発明は、甲１に記載された発明及び周知技術に基いて、その出願前にその発明の属する技術の分野における通常の知識を有する者が容易に発明をすることができたものであって、特許法第２９条第２項の規定により特許を受けることができないから、その発明に係る特許は取り消すべきものである。
＜取消理由３＞
　本件特許の請求項１ないし５に係る発明は、甲２に記載された発明及び周知技術に基いて、その出願前にその発明の属する技術の分野における通常の知識を有する者が容易に発明をすることができたものであって、特許法第２９条第２項の規定により特許を受けることができないから、その発明に係る特許は取り消すべきものである。
＜取消理由４＞
　本件特許の請求項１ないし５に係る発明は、甲３に記載された発明及び周知技術に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　
２　特許異議申立書に添付した証拠方法
　
　甲１：特開２０１０−１５８８４１号公報
　甲２：特開２００４−１５５０７３号公報
　甲３：特開２００４−１５５０８８号公報
　甲４：特開平１０−２６８９１７号公報
　甲５：特開平４−１５５２１７号公報
　甲６：特開平４−１３０５２７号公報
　甲７：特開平３−２６６１１５号公報
　甲８：特開２００３−１９４７０号公報
　甲９：特開２００１−３０６５８３号公報
　甲１０：特開２０１１−１７９８９９号公報
　甲１１：特開２０００−３４８０２２号公報
　甲１２：特開２００３−１９１３０８号公報
　
　３　平成３０年５月８日付けの異議申立人の意見書に添付された参考資料。
　
　参考資料１：特開昭６２−１２７９２３号公報
　参考資料２：特開２００５−２３４６４５号公報
　
　４　平成３０年１０月４日付けの異議申立人の意見書に添付された参考資料。
　
　参考資料ａ：特開２０１２−２５７１３２号公報
　参考資料ｂ：特開２００７−１７８４７２号公報
　参考資料ｃ：特開２０１０−１８５９９４号公報
　参考資料ｄ：特開２０１２−６８８９４号公報
　
第５　取消理由（決定の予告）の概要
　
　平成３０年６月１２日付けで通知した取消理由（決定の予告）は、以下のとおりである。
【理由１】　本件特許の請求項１ないし５に係る発明は、本件特許の出願前に頒布された甲１に記載された発明並びに甲４、甲１０、甲１２に記載の周知技術及び下記の刊行物に記載された周知技術に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　　　　　　　　　　　　　　　　記
　周知技術
　特開２００６−３０９５１１号公報（当審において提示する文献）
　特開２０１０−５５１５６号公報（当審において提示する文献）
　特開昭６２−１２７９２３号公報（参考資料１）
　
第６　取消理由（決定の予告）についての当審の判断
　
　当審は、以下述べるように、上記取消理由（決定の予告）の【理由１】には、理由がないと判断する。
　
１　甲１（特開２０１０−１５８８４１号公報）に記載された発明
　
　甲１には、特許請求の範囲の請求項８に、
「（ａ）操作者による操作部の操作に基づいて、表示部に所定の設定画面を形成し、
（ｂ）操作者によって、成形条件の所定の設定項目が選択され、確定操作要素が押下されたときに、前記設定画面の領域の一部に前記設定項目に対応させて案内画面を形成し、
（ｃ）記録部から案内情報を読み出し、前記案内画面に表示することを特徴とする設定画面の表示方法。」
が記載されており、その具体的な実施態様として、段落【００１５】、【００２４】〜【００２８】、【００３７】、【００３８】において、射出成形機のタッチパネルによって形成されている表示部と操作部を備えた制御パネルでの設定画面の設定方法が説明がなされている。
　そして、上記請求項８の（ａ）工程における「所定の設定画面」として、段落【００１５】、【００２４】〜【００２８】において、「段取、型開閉、可塑化、温度、一覧設定、波形表示、品質管理及び生産管理の各設定を行うための所定の設定画面」が記載されていて、同じく、上記請求項８の（ｂ）工程における「成形条件の所定の設定項目が選択」についての具体的な操作について、段落【００４０】〜【００４２】において、「領域ＡＲ（図３）において所定のカーソル移動キーを押下し、前記設定画面ｇ１上のカーソルを各設定項目のうちの所定の設定項目ｍ１、図５においては、休止時間に移動させ」ることが示され、同じく請求項８の（ｂ）工程における「確定操作要素が押下」として、段落【００４０】〜【００４２】において、具体的な操作として「ヘルプキー（ＨＥＬＰ）を押下すること」が示されるとともに、「ヘルプキー（ＨＥＬＰ）ｋ１２を押下することによって案内情報を要求すると、設定項目ｍ１として休止時間が選択され」と記載されている。
　また、上記請求項８の（ｃ）工程における「記録部」からの「案内情報」について、段落【００４０】〜【００４２】において、メモリに記録される情報として「案内情報には、設定画面、設定項目等の意味、成形条件を設定する際の注意事項等を表すガイダンスのほかに、設定項目の現在の設定値、設定項目に関連する設定項目である関連設定項目の実績値及び設定値、遅延時間等の補正値、最適な設定値を表す計算値、射出成形機の特性情報（射出成形機のパラメータ、射出成形機固有の情報等が含まれる。）等の参照値」が示されている。
　これらを踏まえると、甲１には、次の発明（以下、「甲１発明Ａ」という。）が記載されているといえる。
　
「タッチパネルによって形成されている表示部と操作部とを備えた制御パネルを有する射出成形機の表示部の設定画面の表示方法であって、
（ａ）操作者による操作部の操作に基づいて、前記表示部に段取、型開閉、可塑化、温度、一覧設定、波形表示、品質管理及び生産管理の各設定を行うための所定の設定画面を形成し、それぞれの設定画面において設定項目に係る設定値を入力し、各種の設定を行うことができるようになっていて、
（ｂ）操作者によって、領域において所定のカーソル移動キーを押下し、前記設定画面上のカーソルを所定の設定項目に移動させ、操作部に設けられたヘルプキー（ＨＥＬＰ）を押下することによって案内情報を要求すると、当該設定項目が選択され、前記設定画面の領域の一部に、当該設定項目に対応させて、案内画面としてのポップアップ画面を形成し、
（ｃ）メモリから当該設定項目に関する案内情報を読み出し、当該案内情報は、設定画面、設定項目等の意味、成形条件を設定する際の注意事項等を表すガイダンスのほかに、設定項目の現在の設定値、設定項目に関連する設定項目である関連設定項目の実績値及び設定値、遅延時間等の補正値、最適な設定値を表す計算値、射出成形機の特性情報（射出成形機のパラメータ、射出成形機固有の情報等が含まれる。）等の参照値であって、前記案内画面に表示する
設定画面の表示方法。」
　
　また、上記甲１発明Ａの表示方法を行う射出成形機として、次の発明（以下、「甲１発明Ｂ」という。）が記載されているといえる。
　
「タッチパネルによって形成されている表示部と操作部とを備えた制御パネルを有する射出成形機において、表示部の設定画面の表示が、以下（ａ）〜（ｃ）により行われる射出成形機。
（ａ）操作者による操作部の操作に基づいて、前記表示部に段取、型開閉、可塑化、温度、一覧設定、波形表示、品質管理及び生産管理の各設定を行うための所定の設定画面を形成し、それぞれの設定画面において設定項目に係る設定値を入力し、各種の設定を行うことができるようになっていて、
（ｂ）操作者によって、領域において所定のカーソル移動キーを押下し、前記設定画面上のカーソルを所定の設定項目に移動させ、操作部に設けられたヘルプキー（ＨＥＬＰ）を押下することによって案内情報を要求すると、当該設定項目が選択され、前記設定画面の領域の一部に、当該設定項目に対応させて、案内画面としてのポップアップ画面を形成し、
（ｃ）メモリから当該設定項目に関する案内情報を読み出し、当該案内情報は、設定画面、設定項目等の意味、成形条件を設定する際の注意事項等を表すガイダンスのほかに、設定項目の現在の設定値、設定項目に関連する設定項目である関連設定項目の実績値及び設定値、遅延時間等の補正値、最適な設定値を表す計算値、射出成形機の特性情報（射出成形機のパラメータ、射出成形機固有の情報等が含まれる。）等の参照値であって、前記案内画面に表示する」
　
２　　本件発明１について 
　
（１）　本件発明１と甲１発明Ａとを対比する。
　
　本件発明１と甲１発明Ａとを対比する。
　甲１発明Ａの射出成形機の制御パネルにおける「表示部」は、タッチパネルによって形成されているから、本件発明１の「タッチパネルディスプレイ」に相当する。
　甲１発明Ａの「ヘルプキー（ＨＥＬＰ）」は、ヘルプキー（ＨＥＬＰ）を押下することによって案内情報を要求するものであるから、本件発明１の「操作者が前記所望の操作説明」「を前記画面に表示させるために操作する」「ボタン」に相当する。
　甲１発明Ａの「メモリ」は、本件発明１の「記憶媒体」に相当する。
　甲１発明Ａの「案内情報」は、「前記各設定画面において、設定画面の名称、各設定項目の初期値等だけが表示されると、操作者が設定画面、設定項目等の意味、最適な設定値等についての認識を有していない場合、成形条件を設定するのが困難になってしまう」（甲１の【００３７】）ことに対処するために表示されるものであって、「案内情報」には、「設定画面、設定項目等の意味、成形条件を設定する際の注意事項等を表すガイダンス」が含まれているから（甲１の【００４２】）、本件発明１の「複数の運転操作に関係する」「所望の操作説明」の限りにおいて相当する。
　甲１発明Ａの「射出成形機の」「設定画面の表示方法」は、「前記各設定画面において、設定画面の名称、各設定項目の初期値等だけが表示されると、操作者が設定画面、設定項目等の意味、最適な設定値等についての認識を有していない場合、成形条件を設定するのが困難になってしまう」ことに対処するため（甲１の【００３７】参照）に設けられたものであって、設定画面において選択された設定項目に関する案内情報を設定画面にポップアップされる案内画面に表示させるものであるから、操作説明が上記案内情報である限りにおいて、本件発明１の「射出成形機の複数の運転操作にそれぞれ関係する」「所望の操作説明を選択的に表示させる射出成形機の操作説明の表示方法」に相当する。
　甲１発明Ａにおいて、上記「案内情報」を要求する前に操作者が「設定画面上のカーソルを各設定項目のうちの所定の設定項目に移動させ」た状態は、本件発明１の「操作者が所望の運転操作に関係する前記入力要素を示す画像を選択操作した状態」に相当し、甲１発明Ａの当該状態で「ヘルプキー（ＨＥＬＰ）を押下すること」は、本件発明１の「次に前記ボタン」「を操作」に相当する。
　甲１発明Ａの「設定画面」に上記案内情報の「案内画面」を表示させる表示方法は、甲１発明Ａの設定画面において「操作者が」「前記設定画面上のカーソルを各設定項目のうちの所定の設定項目に移動させ、ヘルプキー（ＨＥＬＰ）を押下することによって案内情報を要求すると」「当該設定項目に対応させて、案内画面としてのポップアップ画面を形成し」「メモリから当該設定項目に関する案内情報を読み出し」「前記案内画面に表示」している。そうすると、甲１発明Ａの「案内情報」は、「画面上に表示される前記複数の運転操作に関係する入力要素を示す画像にそれぞれ対応する前記画面中の予め定められた規定の表示領域を示すデータと関連付けて」「記憶媒体に記録」されている「案内情報」といえるし、甲１発明Ａの表示方法においても、「前記操作者が所望の前記運転操作に関係する前記入力要素を示す画像を選択操作した状態で次に前記ボタンを操作したときに、」「前記所望の運転操作に関係する前記所望の操作説明」「を前記記憶媒体から読み出して前記画面上に表示させる」ことが行われているといえる。
　
　そうすると、本件発明１と甲１発明Ａとは、
「タッチパネルディスプレイの画面に射出成形機の複数の運転操作にそれぞれ関係する複数の操作説明のうちの所望の操作説明を選択的に表示させる射出成形機の操作説明の表示方法であって、操作者が前記所望の操作説明を前記画面に表示させるために操作するボタンを有し、前記画面上に表示される前記複数の運転操作に関係する入力要素を示す画像にそれぞれ対応する前記画面中の予め定められた規定の表示領域を示すデータと関連付けて前記複数の操作説明を記憶媒体に記録しておき、前記操作者が所望の前記運転操作に関係する前記入力要素を示す画像を選択操作した状態で次に前記ボタンを操作したときに、前記所望の運転操作に関係する前記所望の操作説明を前記記憶媒体から読み出して前記画面上に表示させる射出成形機の操作説明の表示方法。」
で一致し、以下の点で相違する。
　
＜相違点１＞
　「操作者が前記所望の操作説明を前記画面に表示させるために操作するボタン」に関し、本件発明１は、ボタンを「ボタン画像」とし、当該「画像を前記画面上の所定位置に予め表示させておく」と特定するのに対し、甲１発明Ａは、タッチパネルによって形成される「表示部」ではなく、「操作部」に「ヘルプキー（ＨＥＬＰ）」として設けられている点。
　
＜相違点２＞
　ボタン（ヘルプキー（ＨＥＬＰ））を操作した時に選択的に表示され、記憶媒体（メモリ）に記録されている操作説明に関し、本件発明１は、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させると特定するのに対し、甲１発明Ａは、「設定画面、設定項目等の意味、成形条件を設定する際の注意事項等を表すガイダンス」を表示させる点。
　
（２）　以下、相違点について検討する。
　
事案に鑑み、相違点２から検討する。
　甲１発明Ａの案内情報として例示されている「設定画面、設定項目等の意味、成形条件を設定する際の注意事項等を表すガイダンス」は、本件発明１の「操作説明書のうちの所望の操作説明に係る頁」とは相違するものであり、また、異議申立人が提出したいずれの証拠をみても、「設定画面、設定項目等の意味、成形条件を設定する際の注意事項等を表すガイダンス」として、「操作説明書のうちの所望の操作説明に係る頁」を「所望の操作説明に係る頁の前後のページを表示させることができる状態で」表示させることについては記載されていない。
　参考資料ａには、電子機器等でトラブルが発生した場合に、サービスマニュアルの必要なページを、前記記憶媒体から読み出して前記所望の操作説明に係る頁の前後のページを表示させることができる状態で表示すること、同じく参考資料ｂには、マニュアルを頁ごとに表示させるときに、前後のページを表示させることができる状態で表示することが記載されているが、これらは、甲１発明の射出成形機の技術分野とは異なる分野のものであり、さらに、「設定画面、設定項目等の意味、成形条件を設定する際の注意事項等を表すガイダンス」を表示させるものではない。
　そうすると、操作説明書の頁を前後のページを表示させることができる状態で表示することが周知であるといえたとしても、甲１発明Ａの案内情報である「設定画面、設定項目等の意味、成形条件を設定する際の注意事項等を表すガイダンス」を、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させるようにする動機はなく、当業者といえども、相違点２が容易想到ということはできない。
　
（３）　まとめ
　
　上記のことから、相違点１について検討するまでもなく、本件発明１は、甲１発明Ａ並びに周知技術に基いて当業者が容易に発明をすることができたものとはいえない。
　
３　本件発明２ないし４について
　
　本件発明２ないし４は、請求項１を直接又は間接的に引用する発明であるから、少なくとも上記２における相違点２の点で、甲１に記載された発明と相違しており、上記相違点２は、上記のとおり当業者においても容易想到といえないから、本件発明２ないし４も、甲１に記載された発明及び周知技術に基いて容易に発明をすることができたものではない。
　
４　本件発明５について 
　
　本件発明５と甲１発明Ｂとの対比・判断
　本件発明５と、甲１発明Ｂを対比すると、上記２における検討のとおりであって、本件発明５と甲１発明Ｂとは、
「射出成形機の制御装置に付設のタッチパネルディスプレイの画面に射出成形機の複数の運転操作にそれぞれ関係する複数の操作説明のうちの所望の操作説明を選択的に表示させる射出成形機であって、前記制御装置が、操作者が前記所望の操作説明を前記画面に表示させるために操作するボタンを有し、前記画面上に表示される前記複数の運転操作に関係する入力要素を示す画像にそれぞれ対応する前記画面中の予め定められた規定の表示領域を示すデータと関連付けて前記複数の操作説明を記憶媒体に記録しておき、前記操作者が所望の前記運転操作に関係する前記入力要素を示す画像を選択操作した状態で次に前記ボタンを操作したときに、前記所望の運転操作に関係する前記所望の操作説明を前記記憶媒体から読み出して前記画面上に表示させる射出成形機。」で一致し、以下の点で相違する。
　
＜相違点３＞
　「操作者が前記所望の操作説明を前記画面に表示させるために操作するボタン」に関し、本件発明５は、ボタンを「ボタン画像」とし、当該「画像を前記画面上の所定位置に予め表示させておく」と特定するのに対し、甲１発明Ｂは、タッチパネルによって形成されている「表示部」ではなく、「操作部」に「ヘルプキー（ＨＥＬＰ）」として設けられている点。
　
＜相違点４＞
　ボタン（ヘルプキー（ＨＥＬＰ））を操作した時に選択的に表示され、記憶媒体（メモリ）に記録されている操作説明に関し、本件発明５は、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させると特定するのに対し、甲１発明Ｂは、「該案内情報には、設定画面、設定項目等の意味、成形条件を設定する際の注意事項等を表すガイダンス」を表示するものである点。　
　
　以下、相違点について検討するに、相違点４は、上記２における相違点２と実質的に同じであるから、上記２における相違点２で検討したことと同様の理由により、相違点４は容易想到とはいえない。
　
　よって、本件発明５は、甲１発明Ｂ並びに周知技術に基いて当業者が容易に発明をすることができたものではない。
　
５　まとめ
　
　以上のとおりであるから、本件特許の請求項１ないし５に係る特許についての取消理由の理由１には理由がない。 
　
第７　取消理由に採用しなかった特許異議申立理由について
　
１　異議申立人の主張する＜取消理由１＞について
　
　上記第５において検討したとおり、本件発明１及び本件発明５と甲１に記載された発明との間には、実質的な相違点があるから、本件発明１及び本件発明５は、甲１に記載された発明ではない。請求項１を直接又は間接的に引用する本件発明２ないし４も同様である。
　よって、異議申立人の主張する＜取消理由１＞は、理由がない。
　
２　異議申立人の主張する＜取消理由３＞について
　
（１）　甲２には、段落【０００２】、【００１２】、【００１５】、【００１８】〜【００２０】、図２、図５の記載から、次の発明（以下、「甲２発明Ａ」という。）が記載されていると認める。
　「射出成形機における動作条件の設定画面について、選択された項目に対応する設定キーＫ１等をタッチすることにより設定支援ボードが自動的に表示され、入力項目に相当する設定キーＫｐをタッチすると、当該設定支援ボードに設定範囲、設定値が表示され、設定項目表示部に必要な各種情報が表示される、射出成形機の表示方法。」
　また、上記甲２発明Ａの表示方法を行う射出成形機として、次の発明（以下、「甲２発明Ｂ」という。）が記載されているといえる。
　「射出成形機の制御装置に付設しているタッチパネルディスプレイで射出成形機の動作条件を設定する射出成形機であって、
　射出成形機における動作条件の設定画面について、選択された項目に対応する設定キーＫ１等をタッチすることにより設定支援ボードが自動的に表示され、入力項目に相当する設定キーＫｐをタッチすると、当該設定支援ボードに設定範囲、設定値が表示され、設定項目表示部に必要な各種情報が表示される、射出成形機。」
（２）　本件発明１と甲２発明Ａとを対比すると、両発明は、「タッチパネルディスプレイの画面に射出成形機の所望の操作説明を選択的に表示させる射出成形機の操作説明の表示方法であって、操作者が操作説明を前記画面に表示させるために操作するボタン画像を前記画面上の所定位置に予め表示させておくとともに、前記画面上に表示される前記複数の運転操作に関係する入力要素を示す画像にそれぞれ対応する前記画面中の予め定められた規定の表示領域を示すデータと関連付けて操作説明を記憶媒体に記録しておき、前記所望の操作説明を前記画面上に表示させる射出成形機の操作説明の表示方法。」で一致し、少なくとも、以下の相違点で相違している。
＜相違点甲２−１＞
　本件発明１は、「前記操作者が所望の前記運転操作に関係する前記入力要素を示す画像を選択操作した状態で次に前記ボタン画像を操作したときに、前記操作説明」を表示させるものであるのに対し、甲２発明Ａは、入力項目に相当する設定キーＫｐをタッチすると、自動的に「設定範囲、設定値」、「設定項目表示部に必要な各種情報」が表示されるものである点。
＜相違点甲２−２＞
　画面上に表示させる所定の操作説明に関し、本件発明１は、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させると特定するのに対し、甲２発明Ａは、「設定範囲、設定値」及び「設定項目表示部に必要な各種情報」を表示させる点。
（３）　上記相違点について検討する。
　相違点甲２−１について
　甲２発明Ａの表示方法は、設定キーＫｐをタッチすると自動的に設定支援ボードに「設定範囲、設定値」及び「設定項目表示部に必要な各種情報」が表示されるものであるから、当該甲２発明Ａの表示方法に基づいては、本件発明１の「前記入力要素を示す画像を選択操作した状態で」操作する「ボタン画像」、いわゆるヘルプキーを設ける動機はないから、相違点甲２−１は、当業者においても容易想到ということはできない。
　相違点甲２−２について
　甲２発明Ａの案内情報として例示されている「設定項目表示部に必要な各種情報」は、本件発明１の「操作説明書のうちの所望の操作説明に係る頁」とは相違するものであり、また、異議申立人が提出したいずれの証拠をみても、「設定項目表示部に必要な各種情報」として、「操作説明書のうちの所望の操作説明に係る頁」を「所望の操作説明に係る頁の前後のページを表示させることができる状態で」表示させることについては記載されていない。
　参考資料ａには、電子機器等でトラブルが発生した場合に、サービスマニュアルの必要なページを、前記記憶媒体から読み出して前記所望の操作説明に係る頁の前後のページを表示させることができる状態で表示すること、同じく参考資料ｂには、マニュアルを頁ごとに表示させるときに、前後のページを表示させることができる状態で表示することが記載されているが、これらは、甲２発明Ａの射出成形機の技術分野とは異なる分野のものであり、さらに、「設定項目表示部に必要な各種情報」を表示させるものではない。
　そうすると、操作説明書の頁を前後のページを表示させることができる状態で表示することが周知であるといえたとしても、甲２発明Ａの案内情報である「設定項目表示部に必要な各種情報」を、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させるようにする動機はなく、当業者といえども、相違点甲２ー２が容易想到ということはできない。
　以上のことから、本件発明１は、甲２に記載された発明並びに周知技術に基いて当業者が容易に発明をすることができたものとはいえない。請求項１を直接又は間接的に引用する本件発明２ないし４も同様である。
（４）　本件発明５と甲２発明Ｂとを対比すると、少なくとも上記（２）の相違点甲２−１及び相違点甲２−２で相違していて、当該相違点の判断は、上記（３）のとおりである。
　してみれば、本件発明５は、甲２に記載された発明並びに周知技術に基いて当業者が容易に発明をすることができたものとはいえない。
（５）　よって、異議申立人の主張する＜取消理由３＞は、理由がない。
　
３　異議申立人の主張する＜取消理由４＞について
　
（１）　甲３には、段落【０００１】、【００２４】、【００２５】、図４、図５の記載から、次の発明（以下、「甲３発明Ａ」という。）が記載されていると認める。
　「射出成形機における段取り作業に際して、項目選択ボタンＢ１をタッチすることにより、ガイダンス表示部Ｗｍに、当該項目選択ボタンＢ１に係る作業全体のガイダンスメッセージＦｍが表示される、射出成形機の表示方法。」
　また、上記甲３発明Ａの表示方法を行う射出成形機として、次の発明（以下、「甲３発明Ｂ」という。）が記載されているといえる。
　「射出成形機のタッチパネルを付設したカラー液晶ディスプレイで射出成形機の段取り作業のガイダンスメッセージを表示する射出成形機であって、
　項目選択ボタンＢ１をタッチすることにより、ガイダンス表示部Ｗｍに、当該項目選択ボタンＢ１に係る作業全体のガイダンスメッセージＦｍが表示される、射出成形機。」
（２）　本件発明１と甲３発明Ａとを対比すると、両発明は、「タッチパネルディスプレイの画面に射出成形機の所望の操作説明を選択的に表示させる射出成形機の操作説明の表示方法であって、操作者が操作説明を前記画面に表示させるために操作するボタン画像を前記画面上の所定位置に予め表示させておくとともに、前記画面上に表示される前記複数の運転操作に関係する入力要素を示す画像にそれぞれ対応する前記画面中の予め定められた規定の表示領域を示すデータと関連付けて操作説明を記憶媒体に記録しておき、前記所望の操作説明を前記画面上に表示させる射出成形機の操作説明の表示方法。」で一致し、少なくとも、以下の相違点で相違している。
＜相違点甲３−１＞
　本件発明１は、「前記操作者が所望の前記運転操作に関係する前記入力要素を示す画像を選択操作した状態で次に前記ボタン画像を操作したときに、前記操作説明」「を前記画面上に表示させる」ものであるのに対し、甲３発明Ａは、項目選択ボタンＢ１をタッチすると、ガイダンス表示部Ｗｍに「項目選択ボタンＢ１に係る作業全体のガイダンスメッセージＦｍ」が表示されるものである点。
＜相違点甲３−２＞
　画面上に表示される所定の操作説明に関し、本件発明１は、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させると特定するのに対し、甲３発明Ａは、「項目選択ボタンＢ１に係る作業全体のガイダンスメッセージＦｍ」を表示させる点。
（３）　上記相違点について検討する。
　相違点甲３−１について
　甲３発明Ａの表示方法は、項目選択ボタンＢ１をタッチすると自動的にガイダンス表示部Ｗｍに「項目選択ボタンＢ１に係る作業全体のガイダンスメッセージＦｍ」が表示されるものであるから、当該甲３発明Ａの表示方法に基づいては、本件発明１の「前記入力要素を示す画像を選択操作した状態で」操作する「ボタン画像」、いわゆるヘルプキーを設ける動機はないから、相違点甲３−１は、当業者においても容易想到ということはできない。
　相違点甲３−２について
　甲３発明Ａの案内情報として例示されている「項目選択ボタンＢ１に係る作業全体のガイダンスメッセージＦｍ」は、本件発明１の「操作説明書のうちの所望の操作説明に係る頁」とは相違するものであり、また、異議申立人が提出したいずれの証拠をみても、「項目選択ボタンＢ１に係る作業全体のガイダンスメッセージＦｍ」として、「操作説明書のうちの所望の操作説明に係る頁」を「所望の操作説明に係る頁の前後のページを表示させることができる状態で」表示させることについては記載されていない。
　参考資料ａには、電子機器等でトラブルが発生した場合に、サービスマニュアルの必要なページを、前記記憶媒体から読み出して前記所望の操作説明に係る頁の前後のページを表示させることができる状態で表示すること、同じく参考資料ｂには、マニュアルを頁ごとに表示させるときに、前後のページを表示させることができる状態で表示することが記載されているが、これらは、甲３発明Ａの射出成形機の技術分野とは異なる分野のものであり、さらに、「作業全体のガイダンスメッセージＦｍ」を表示させるものではない。
　そうすると、操作説明書の頁を前後のページを表示させることができる状態で表示することが周知であるといえたとしても、甲３発明Ａの案内情報である「作業全体のガイダンスメッセージＦｍ」を、「具体的で詳しい操作方法が記載されている書類である複数頁からなる操作説明書のうちの所望の操作説明に係る頁」であって「前記記憶媒体から読み出して前記所望の操作説明に係る頁の前後のページを表示させることができる状態で」表示させるようにする動機はなく、当業者といえども、相違点甲３ー２が容易想到ということはできない。
　以上のことから、本件発明１は、甲３に記載された発明並びに周知技術に基いて当業者が容易に発明をすることができたものとはいえない。請求項１を直接又は間接的に引用する本件発明２ないし４も同様である。
（４）　本件発明５と甲３発明Ｂとを対比すると、少なくとも上記（２）の相違点甲３−１及び相違点甲３−２で相違していて、当該相違点の判断は、上記（３）のとおりである。
　してみれば、本件発明５は、甲３に記載された発明並びに周知技術に基いて当業者が容易に発明をすることができたものとはいえない。
（５）　よって、異議申立人の主張する＜取消理由４＞は、理由がない。　
　なお、異議申立人の主張する＜取消理由２＞については、第６のとおりである。
　
第８　むすび 
　
　以上のとおり、本件発明１ないし５に係る特許は、取消理由通知書（決定の予告）に記載した取消理由及び特許異議申立書に記載された特許異議申立理由によっては、取り消すことはできない。さらに、他に本件発明１ないし５に係る特許を取り消すべき理由を発見しない。
　よって、結論のとおり決定する。
【異議決定日】
平成３０年１１月６日（２０１８．１１．６）
【訂正の要旨】
審決（決定）の【理由】欄参照。
（５７）【特許請求の範囲】
　【請求項１】
　タッチパネルディスプレイの画面に射出成形機の複数の運転操作にそれぞれ関係する
具体的で詳しい操作方法が記載されている書類である
頁からなる
書
に係る頁
に係る頁
頁からなる
書
前記操作説明書の全ての頁の中から
に係る頁
前記所望の操作説明に係る頁の前後のページを表示させることができる状態で前記所望の操作説明に係る頁を
　【請求項２】
　前記画面には、少なくとも射出条件設定画面と、型開閉条件設定画面と、温度条件設定画面があり、前記操作者が設定条件を入力する前記入力要素を示す画像を選択操作したときに前記規定の表示領域の一部ないしは全部が強調表示されることを特徴とする請求項１に記載の射出成形機の操作説明の表示方法。
　【請求項３】
　前記画面に前記所望の操作説明
に係る頁
　【請求項４】
　前記所定位置は、いずれも、前記画面の四隅付近のうちいずれか一箇所であることを特徴とする請求項１から３のいずれか一項記載の射出成形機の操作説明の表示方法。
　【請求項５】
　射出成形機の制御装置に付設のタッチパネルディスプレイの画面に射出成形機の複数の運転操作にそれぞれ関係する
具体的で詳しい操作方法が記載されている書類である
頁からなる
書
に係る頁
に係る頁
頁からなる
書
前記操作説明書の全ての頁の中から
に係る頁
前記所望の操作説明に係る頁の前後のページを表示させることができる状態で前記所望の操作説明に係る頁を